(57)【特許請求の範囲】
【請求項１】
胴部(4)の上方に、上方に縮径したテーパー筒状の肩部(3)を介して口筒部(2)を起立設し、該胴部(4)の、両側壁部分(5)のそれぞれに、凹部(11)を対向させて陥没形成し、該凹部(11)と、該両凹部(11)の間の背壁部分(6)とでグリップ部(G)を形成する合成樹脂製ブロー成形品であるピンチグリップ式ボトル型容器において、前記胴部(4)の凹部(11)より上位に位置する後部周壁に、前記グリップ部(G)を親指と他の指で挟持状に掴持した状態から斜め上方に延ばした人差し指の指先が当接する位置に、該指先が嵌まる係止凹部(14)を陥没形成したことを特徴とするピンチグリップ式ボトル型容器。
【請求項２】
胴部(4)の後部周壁に左右一対の係止凹部(14)を形成した請求項１記載のピンチグリップ式ボトル型容器。
【請求項３】
係止凹部(14)の底面の中心線を背壁部分(6)の左右中心線(CL)に対して斜め上方外側方向に傾斜させ、該傾斜角度(TH)を２０°〜４０°の範囲とした請求項１または２記載のピンチグリップ式ボトル型容器。
【請求項４】
胴部(4)の後部周壁における係止凹部(14)の左右方向に係る形成位置を、背壁部分(6)の左右の側端(6s)に相当する左右位置近傍とした請求項１、２または３記載のピンチグリップ式ボトル型容器。
【請求項５】
胴部(4) の凹部(11)の直上位置において周壁に周溝(16)を形成し、該周溝(16)の直上から肩部(3)との境界に至る高さ範囲に係止凹部(14)を形成した請求項１、２、３または４記載のピンチグリップ式ボトル型容器。
【請求項６】
肩部(3)の下部の周壁を、周縁を段部で囲うようにして陥没状に形成した台形状のパネル(3p)を多数周方向に並列して多角形錐台状にし、係止凹部(14)の上端部が、隣接する前記パネル(3p)の間に残存形成される稜線部(3r)の下端直下に位置するように構成した請求項１、２、３、４または５記載のピンチグリップ式ボトル型容器。
【発明の詳細な説明】
【技術分野】
【０００１】
本発明は、グリップ機能部付き大型合成樹脂製ボトル型容器の内、胴部の両側壁部分に凹部を対向形成することにより、グリップ機能部を一体形成したピンチグリップ式ボトル型容器に関するものである。
【背景技術】
【０００２】
グリップ機能部付き大型合成樹脂製ボトル型容器の従来技術として、たとえば特許文献１には、予め別途に成形した把手体を容器本体に取付ける構成のボトル型容器とは別種の、胴部の両側壁部分に、指先が略第一関節まで侵入できる程度の大きさに凹部を対向形成し、この両凹部と、両凹部の間に位置する背壁部分とで構成されたグリップ部を一体に形成したピンチグリップ式ボトル型容器が記載されている。
【０００３】
そして、このグリップ部を利用して図８の説明図に示されるように、親指を胴部１０４の側壁部分に形成された一方の凹部１１１に、他の指を他方の凹部１１１に侵入させて背壁部分１０６を挟持するようにボトル型容器の胴部１０４を掴持することができる。
【０００４】
この種のピンチグリップ式ボトル型容器は、別途に成形した把手体を容器本体に取付ける構成のボトル型容器に比べて、製造コストの低減化、製造工程の簡素化、さらには消費樹脂材料の省資源化の点から、多くの利点があるばかりでなく、数リットルにも達する大きさのボトル型容器であっても、グリップ性が安定して発揮される、と云う利点がある。
【特許文献１】特開２００３−１６５５１８号公報
【発明の開示】
【発明が解決しようとする課題】
【０００５】
一方で、一般に上記した種類のピンチグリップ式ボトル型容器は収納量が大きく、４リッター程度の大型のものでは内容液を充填した状態で重量が非常に大きくなるので、起立姿勢でボトルを持ち上げる操作、傾けて内容液を注出する操作、あるいは手にぶら下げて運ぶ操作等、それぞれの操作状況に応じて安定した掴持姿勢がとれるようにしておく必要があり、
特に内容液を注出する操作において、より安定して傾斜姿勢を維持できる、あるいは傾斜角度を微妙に調整して所望の速度での注出操作が可能なボトル型容器が要請されている。
【０００６】
そこで本発明は、数リッター程度の大型のピンチグリップ式ボトル型容器において、内容液の注出時により安定して傾斜姿勢を維持できるように、あるいは傾斜角度を微妙に調整して所望の速度での注出操作ができるようにグリップ部近傍の形状を創出することを技術的な課題とするものである。
【課題を解決するための手段】
【０００７】
上記技術的課題を解決する手段の内、本発明の主たる構成は、
胴部の上方に、上方に縮径したテーパー筒状の肩部を介して口筒部を起立設し、この胴部の両側壁部分のそれぞれに、凹部を対向させて陥没形成し、この凹部と、両凹部の間の背壁部分とでグリップ部を形成する合成樹脂製ブロー成形品であるピンチグリップ式ボトル型容器において、
胴部の、凹部より上位に位置する後部周壁に、グリップ部を親指と他の指で挟持状に掴持した状態から、斜め上方に延ばした人差し指の指先が当接する位置に、この指先が嵌まる係止凹部を陥没形成する、
と云うものである。
【０００８】
本願発明者らは４リッター程度の容量の、この種のピンチグリップ式ボトル型容器における内容液の注出の際、使用者がどのような姿勢でグリップ部を掴持するかを観察する中で、一方の凹部の最上位に位置する人差し指の凹部への引っ掛かりが、中指や薬指に比較的不安定なこと、さらにボトル型容器を傾けて内容液を注出する際に人差し指を凹部から外し、斜め上方に延ばして胴部の後壁に当てるようにすると、傾斜姿勢を安定して維持できること、そして傾斜角度を微妙に調整できることを見出し上記本発明の構成を創案するに至った。
【０００９】
すなわち、胴部の凹部より上位に位置する後部周壁に、グリップ部を親指と他の指で挟持状に掴持した状態から、斜め上方に延ばした人差し指の指先が当接する位置に、この指先が嵌まる係止凹部を陥没形成する、と云う構成とすることにより、
この係止凹部に指先を嵌めるようにすることにより、係止効果が発揮されて、斜め上方に延ばした人差し指の先端部を介して、ボトル型容器の傾き加減を安定して維持できると共に、より微妙に調整して内容液を注ぐことが可能となる。
【００１０】
特にボトル型容器が４リッター程度にも及ぶ大型になると、その傾斜姿勢を安定して維持できない場合には、内容液の流出速度が安定せず、それによりさらに傾斜姿勢がふらつくので、上記のような係止凹部による人差し指の指先の係止効果は非常に効果的であるし、比較的手の平が小さな人でも注出操作を安定して実施することが可能となる。
さらに、係止凹部に嵌った指先により傾斜角度を微妙に調整できることができ、内容液を所望の流出速度で注出することが可能となる。
【００１１】
ここで、係止凹部の形成位置の詳細や、大きさや陥没深さ等の形状、形成数等はボトル型容器の容量（充填時の重量）、径、背壁部分の幅、あるいは容器の使用態様を考慮して適宜きめることができるものである。
【００１２】
本発明の他の構成は、上記主たる構成に加えて、胴部の後部周壁に左右一対の係止凹部を形成する、と云うものである。
【００１３】
係止凹部の形成は容器の使用態様によって一箇所とすることもできるが、左右どちらの手で持ってもいいように胴部の後部周壁に左右一対の係止凹部を形成することが好ましい。
【００１４】
本発明のさらに他の構成は、係止凹部の底面の中心線を背壁部分の左右中心線に対して斜め上方外側方向に傾斜させ、この傾斜角度を２０°〜４０°の範囲とする、と云うものである。
【００１５】
上記構成により、係止凹部の底面の中心線の傾斜角度を２０°〜４０°の範囲とすることにより、グリップ部を親指と他の指で挟持状に掴持した状態から、斜め上方に延ばした人差し指の指先を、特に使用者が意識することなく、無理なく自然に係止凹部に嵌めることができる。
ここで、この傾斜角度はボトル型容器の容量、径、背壁部分の幅等を考慮して、２０°〜４０°の範囲で決めることができる。
【００１６】
本発明のさらに他の構成は、胴部の後部周壁における係止凹部の左右方向に係る形成位置を、背壁部分の左右の側端に相当する左右位置近傍とする、と云うものである。
【００１７】
上記構成は、係止凹部の形成位置の設定に関するものであり、胴部の後部周壁における係止凹部の左右方向に係る形成位置を、背壁部分の左右の側端に相当する左右位置近傍とすることにより、グリップ部を親指と他の指で挟持状に掴持した状態から、斜め上方に延ばした人差し指の指先を、特に使用者が意識することなく、無理なく自然に係止凹部に嵌めることができる。
上記構成で決めることのできる左右位置は、あくまでも目安となるものであるので、上記構成では「左右位置近傍」と云うようにしている。
【００１８】
本発明のさらに他の構成は、胴部の凹部の直上位置において周壁に周溝を形成し、この周溝の直上から肩部との境界に至る高さ範囲に係止凹部を形成する、と云うものである。
【００１９】
上記構成も、係止凹部の形成位置の設定に関するものであるが、周溝の直上から肩部との境界位置に至る高さ範囲に係止凹部を形成することにより、周溝により指先の当接に伴なう胴部周壁の陥没変形が抑制されるため、係止凹部でより安定した状態で指先を固定することが可能となる。
【００２０】
本発明のさらに他の構成は、肩部の下部の周壁を、周縁を段部で囲うようにして陥没状に形成した台形状のパネルを多数周方向に並列して多角形錐台状にし、係止凹部の上端部が、隣接するパネルの間に残存形成される稜線部の下端直下に位置するように構成する、と云うものである。
【００２１】
陥没形成される台形状のパネルはボトル型容器の内部が減圧状態となった際に、さらに陥没変形し、外観を大きく損なうことなく減圧に伴なうボトル型容器の減容変形を吸収する、所謂、減圧吸収機能を発揮する。
ここで、隣接するパネルにより形成される稜線部は、肩部の多角形錐台状部分で、減圧時における個々のパネルの陥没変形を許容しながら、全体としての歪な陥没変形を抑制するリブ的な作用効果を発揮するものであり、係止凹部の上端部がこの稜線部の下端直下に位置する構成とすることにより、指先を当接させた際における周壁の陥没変形をさらに効果的に抑制することが可能となる。
また一方で、係止凹部の形成による個々のパネルの減圧吸収機能の毀損を防止することができる。
【００２２】
なお、上記構成によれば係止凹部の形成位置と、稜線部３ｒの形成位置を合わせる必要があるが、そのため、何ケのパネルで形成するか等、肩部の多角錐台状部分の形状を、肩部の意匠性や減圧吸収機能だけでなく、係止凹部の最適な形成位置についても考慮して決めるようにする。
【発明の効果】
【００２３】
本発明の主たる構成を有するピンチグリップ式ボトル型容器では、胴部の凹部より上位に位置する後部周壁に形成した係止凹部にグリップ部を親指と他の指で挟持状に掴持した状態から、斜め上方に延ばした人差し指の指先を嵌めるようにして固定することにより、この係止凹部の係止効果が発揮されて、斜め上方に延ばした人差し指の先端部を介して、ボトル型容器の傾き加減を安定して維持できると共に、この傾き加減をより微妙に調整して内容液を注ぐことができる。
【発明を実施するための最良の形態】
【００２４】
以下、本発明の実施の形態を実施例に沿って図面を参照しながら説明する。
図１〜図５は本発明のピンチグリップ式ボトル型容器の一実施例を示すものであり、図１は正面図、図２は側面図、図３は背面図、図４は平面図である。また図５は図２中のＡ−Ａ線に沿って示す平断面図である。
【００２５】
このボトル型容器１は合成樹脂製２軸延伸ブロー成形品であり、全高さが３９５ｍｍ、最大径が１３７ｍｍ、内容量が４リッター用のものであり、下端に座機能を発揮する底部８を連設した、有底筒状の胴部４の上端に、上方に縮径したテーパ−筒状の肩部３を介して、外周面に螺条を刻設した円筒状の口筒部２を連設した構造となっている。
【００２６】
肩部３の形状は上部は円錐台状であり、その下部は多角錐台状である。下部の多角錐台状部分では、周縁を段部で囲うようにして周壁を略台形状に緩やかに陥没形成したパネル３ｐが８ケ周方向に並列している。そして隣接するパネル３ｐの間には稜線部３ｒが残存形成している。
個々のパネル３ｐはボトル型容器１内が減圧状態となった際にさらに陥没変形し減圧吸収機能を発揮し、稜線部３ｒは、減圧時あるいは指先等の当接による外からの力の作用に対して縦リブとしての作用を発揮して、減圧時における個々のパネル３ｐの陥没変形を許容しながら、多角錐台状部分全体での歪な、外観を損なうような陥没変形を抑制する機能を発揮する。
【００２７】
胴部４に、その両側壁部分５のやや上側の後側位置に、対向した姿勢で縦長の一対の凹部１１を陥没形成している。さらに両凹部１１のそれぞれの上部領域に、この凹部１１をさらに陥没させて縦長矩形状の小凹部１２を対向させて陥没形成している。
【００２８】
この小凹部１２には三つの凹部補強リブ１３（図２参照）が、アーチ状に横断して（図５参照）設けられている。この凹部補強リブ１３は小凹部１２の機械的強度を高める機能を発揮するものであるが、この三つの凹部補強リブ１３により、小凹部１２内を上下に四つの区分に、略等分に区画し、この区画により、小凹部１２内の各区分のいずれかに、一本の指の指先を安定して位置させることができる。
【００２９】
また、凹部補強リブ１３で区画された小凹部１２の各区分の小凹部底面１２ｂには、ブロー成形されたボトル型容器１のブロー金型からの離型性を高めるための小突部１５を形成している。
【００３０】
そして、両凹部１１と、この両凹部１１の間に、周壁を胴部４の中心軸方向に若干陥没させて、縦長矩形状、そして平坦状に形成された背壁部分６（図２、３、５参照）とによりグリップ部Ｇを形成しているが（図５中の白抜き矢印参照）、このグリップ部Ｇの周方向に沿った周長は、一方の凹部１１側の小凹部１２に親指を位置させ、他方の凹部１１の小凹部１２に他の指を位置させての掴持（図６参照）を可能とする必要があることから、平均的な手のひらの寸法に合わせて略一定した値に設定する。
【００３１】
次に胴部４の凹部１１の直上位置の周壁部分には、周リブとしての機能を発揮する周溝１６が形成されている。そして、胴部４の後部周壁の、周溝１６の直上から肩部３との境界に至る高さ範囲において、左右対称の位置に、左右一対の係止凹部１４を逆ハの字状に陥没形成している。
【００３２】
この係止凹部１４は、図７（ａ）の説明図に示すようにグリップ部Ｇを親指と他の指で挟持状に掴持した状態から、図７（ｂ）に示すように人差し指を斜め上方に延ばした状態で、この人差し指の指先がちょうど当たるような位置に形成されている。
ここで、図７（ａ）、（ｂ）は右手で掴持した際の図であるが、左手で掴持した際には左側の係止凹部１４に人差し指の指先が当たる。
【００３３】
そして、ボトル型容器１を傾けて内容液を注出する際には、図７（ｂ）のように人差し指を斜め上方に延ばしてその指先を係止凹部１４に嵌めるように係止することにより、注出姿勢を安定して維持することができると共に、その傾斜角度を微妙に調整して注出速度を容易に制御することができる。
【００３４】
この係止凹部１４の形成位置は、ボトル型容器の容量（充填重量）、胴径、背壁部分６の幅、さらには使用態様や使用する人の平均的な手の平の大きさを考慮して設定するものであるが、本実施例では次のような基準に沿って係止凹部１４の形成位置を設定している。
（１）高さ位置については、周溝１６の直上から肩部３との境界位置に亘る高さ範囲とする。
（２）左右方向に係る形成位置としては、背壁部分６の左右の側端６ｓ（図３参照）に相当する左右位置近傍とする。
（３）形成方向については、係止凹部１４の底面の中心線を背壁部分６の左右中心線ＣＬに対して斜め上方外側方向に３０°傾斜させる。（図３の傾斜角度ＴＨ参照）
（４）係止凹部１４の上端部が稜線部３ｒの下端直下に位置するようにする。
【００３５】
そして、上記した（１）、（２）、（３）によりグリップ部Ｇを親指と他の指で挟持状に掴持した状態（図７（ａ）参照）から、斜め上方に延ばした人差し指の指先を、特に使用者が意識することなく、無理なく自然に係止凹部１４に嵌めることができる。
また、（１）、（４）により周溝１６と稜線部３ｒのリブ効果が発揮され、係止凹部１４近傍の周壁の面剛性を高くして、指先を当接した際における周壁の陥没状の変形を効果的に抑制することができるようにしている。
【００３６】
ここで、上記した（１）〜（４）の係止凹部１４の形成位置に係る基準は、代表的な例を示すものであるが、この基準は厳密なものではなく、前述したようにボトル型容器の容量（充填重量）、胴径、背壁部分６の幅、さらには使用態様や使用する人の平均的な手の平の大きさを考慮して適宜、設定できるものである。たとえば、係止凹部１４の傾斜角度ＴＨは一般的には２０°〜４０°の範囲で決めることが好ましい。
【００３７】
基準（４）については、係止凹部１４の上端部と、稜線部３ｒの下端部位置を合わせる必要があるが、そのため、何ケのパネル３ｐで形成するか等、肩部３の多角錐台状部分をどのような形状にするかを、肩部３の意匠性や減圧吸収機能と共に、係止凹部１４の最適な形成位置を考慮して決める。
本実施例ではパネル３ｐを８ケとし、左右に４ケずつ形成することにより、上記基準（４）が実現できるようにしている。
【００３８】
また、本実施例の場合、パネル３ｐの下端縁は円弧状になっているが、係止凹部１４の上端部を隣接する円弧状の下端縁の間に収まるように配置して、近傍に位置するパネル３ｐの減圧吸収機能を損なうことがないようにしている。
【００３９】
次に、本実施例のボトル型容器１では、グリップ部Ｇを構成する背壁部分６に突条リブである補強横リブ２２を多数（５ケ）等間隔に設けており、この補強横リブ２２は平坦状に形成された背壁部分６の面剛性を高くして、手でグリップ部Ｇを大きな力で把持した際、背壁部分６が耐えられず容器１の外方に湾曲状に変形し、ボトル型容器１を安定して保持できず、注ぎ口が不安定になって注ぎ難くなる、さらには変形により内容液が不意に外部に飛び出したり、と云う不具合を確実に防ぐことができる。
また、手でグリップ部Ｇを強固に掴んだ際における、しっかりとしたグリップ感が得られる。
【００４０】
以上、本発明のピンチグリップ式ボトル型容器の実施の形態とその作用効果について、実施例に沿って説明したが、本発明の実施の形態は上記実施例に限定されるものではない。たとえば、ボトル型容器の容量は４リッターに限定されるものではないし、係止凹部１４の形成位置については、本実施例で採用した（１）〜（４）の基準に限定されることなく、ボトル型容器の容量、径、背壁部分の幅、あるいは使用態様を考慮して、グリップ部Ｇを親指と他の指で挟持状に掴持した状態から斜め上方に延ばした人差し指の指先が当接する位置と、云う基本的な構成要件に沿って決めることができる。
また、係止凹部１４の形成個数も左右一対の２ケに限定されるものではなく、さらに数を増やして、そのどれかに人差し指の指先をあてるような構成とすることもできる。
【産業上の利用可能性】
【００４１】
以上説明したように、本発明のピンチグリップ式ボトル型容器は、斜め上方に延ばした人差し指の指先が嵌る係止凹部を形成することにより、特に内容液の注出時におけるボトル型容器の傾斜姿勢を安定して維持することができると共に、傾斜角度を微妙に調整して所望の速度で安定して内容液を注ぐことができるようにしたものであり、数リッター程度の大型のボトル型容器として幅広い使用展開が期待される。
【図面の簡単な説明】
【００４２】
【図１】本発明のボトル容器の一実施例を示す正面図である。
【図２】図１に示したボトル型容器の側面図である。
【図３】図１に示したボトル型容器の背面図である。
【図４】図１に示したボトル型容器の平面図である。
【図５】図２中のＡ−Ａ線に沿って示す平断面図である。
【図６】図５の平断面図で手による掴持状態を示す説明図である。
【図７】図３の背面図で手による掴持状態を示す説明図であり、（ａ）は通常の掴持状態、（ｂ）は人差し指を斜め上方に延ばした状態である。
【図８】ピンチグリップ式ボトル型容器におけるグリップ部の通常の掴持状態を示す説明図である。
【符号の説明】
【００４３】
１  ；ボトル型容器
２  ；口筒部
３  ；肩部
３ｐ；パネル壁
３ｒ；稜線部
４  ；胴部
５  ；側壁部分
６  ；背壁部分
６ｓ；側端
７  ；補強周リブ
１１；凹部
１２；小凹部
１２ｂ；小凹部底面
１３；凹部補強リブ
１４；係止凹部
１５；小突片
１６；周溝
２２；補強横リブ
１０４；胴部
１０６；背壁部分
１１１；凹部
Ｇ  ；グリップ部
ＣＬ；中心線
ＴＨ；傾斜角度
【図１】
0005071864.tif 000002
【図２】
0005071864.tif 000003
【図３】
0005071864.tif 000004
【図４】
0005071864.tif 000005
【図５】
0005071864.tif 000006
【図６】
0005071864.tif 000007
【図７】
0005071864.tif 000008
【図８】
0005071864.tif 000009